(57)【要約】【課題】プロテクタ内に収容するワイヤハーネスから分岐するキャップ付きスプライス部を簡単に所定位置に収容できると共に、該所定位置でガタつきなく保持できるプロテクタを提供する。【解決手段】底壁の幅方向の両側から立設される側壁を有する樹脂製のプロテクタ本体と、該プロテクタ本体の上面開口を閉鎖する樹脂製の蓋とを備え、前記プロテクタ本体の長さ方向の一部に、ワイヤハーネスの幹線路に隣接した幅方向に、絶縁樹脂製のキャップを被せたスプライス部が収容されるスプライス収容空間が、前記底壁から長さ方向に立設される仕切壁で仕切られて設けられ、前記スプライス収容空間を挟む外側の前記側壁と内側の前記仕切壁に、前記キャップの上面に係止する係止爪が設けられていると共に、該係止爪と対向位置の前記底壁に型抜き穴からなる水抜き穴が設けられており、かつ、前記キャップの先端側に該キャップを上方傾斜させて当接するストッパー壁が前記底壁から立設されている。【選択図】図５
2017169300.tif 000002
【特許請求の範囲】
【請求項１】
底壁の幅方向の両側から立設される側壁を有する樹脂製のプロテクタ本体と、該プロテクタ本体の上面開口を閉鎖する樹脂製の蓋とを備え、
前記プロテクタ本体の長さ方向の一部に、ワイヤハーネスの幹線路に隣接した幅方向に、絶縁樹脂製のキャップを被せたスプライス部が収容されるスプライス収容空間が、前記底壁から長さ方向に立設される仕切壁で仕切られて設けられ、
前記スプライス収容空間を挟む外側の前記側壁と内側の前記仕切壁に、前記キャップの上面に係止する係止爪が設けられていると共に、該係止爪と対向位置の前記底壁に型抜き穴からなる水抜き穴が設けられており、かつ、前記キャップの先端側に該キャップを上方傾斜させて当接するストッパー壁が前記底壁から立設されていることを特徴とするワイヤハーネス用のプロテクタ。
【請求項２】
前記スプライス収容空間を挟む一方の側壁の上端にスプライス収容空間側に向けて突出させた係止爪が設けられていると共に、他方の仕切壁に設ける前記係止爪は、上端よりの切り込みに挟まれた弾性係止片の上端にスプライス収容空間内に向けて突出させている請求項１に記載のワイヤハーネス用のプロテクタ。
【発明の詳細な説明】
【技術分野】
【０００１】
本発明はワイヤハーネス用のプロテクタに関し、詳しくは、ワイヤハーネスに設けられるスプライス部をプロテクタ内部に収容するプロテクタに関する。
【背景技術】
【０００２】
ワイヤハーネスの経路規制および外部干渉材からの保護のために、ワイヤハーネスの配索領域の所要箇所では樹脂成形品からなるプロテクタにワイヤハーネスを挿通している。  ワイヤハーネスの幹線から分岐する複数の枝線端末で芯線同士を溶接して形成したスプライス部１１０を設けている場合、プロテクタ内にスプライス部１１０を収容している。具体的には、従来、図８（Ａ）に示すように、ワイヤハーネス１００のスプライス部１１０に樹脂製キャップ１５０を被せた状態でワイヤハーネスの幹線１２０と並べて粘着テープ１３０を巻き付けて固着し、この状態でプロテクタ２００内に収容している。
【０００３】
前記のようにスプライス部を幹線に粘着テープで巻き付けて固着すると、テープコストがかかると共に巻付作業コストもかかる問題がある。さらに、粘着テープ１３０を部分的に巻き付けてスプライス部１１０を幹線１２０に止めているだけであるため、スプライス部１１０の位置が安定せず、スプライス部１１０の位置にバラツキが発生しやすい。よって、図８（Ｂ）に示すように、プロテクタ２００の本体２００Ａ内でスプライス部１１０が幹線１２０と横並びに位置し、プロテクタ２００の蓋２００Ｂを被せて本体２００ＡとロックできるＯＫ状態であれば良いが、図８（Ｃ）に示すように、スプライス部１１０が幹線１２０の斜め上方に位置すると、蓋２００Ｂで本体２００Ａを閉じることができないＮＧ状態となる。このＮＧ状態になると、スプライス部１１０を本体２００Ａに押し込む作業が必要となり、作業手数がかかることになる。
さらに、スプライス部はプロテクタによって位置決め保持されていないため、ワイヤハーネスを配索する車両に走行振動が発生すると、スプライス部にガタつきや位置ずれが発生し、異音発生の要因となる。
【０００４】
また、従来、本出願人は特開２００９−２０７２９９号でスプライス収容部を備えたプロテクタを提供している。該プロテクタはプロテクタ本体の側壁内面の上部に上面開口のボックス状のスプライス収容部を間隔をあけて突設している。プロテクタ本体内に挿通するワイヤハーネスの幹線から分岐するスプライス部にキャップを被せずに前記スプライス収容部の上面開口から挿入して収容している。このスプライス収容部にスプライス部を挿入した後に、プロテクタ本体に蓋を被せ、スプライス収容部からスプライス部が飛び出さないようにしている。
【先行技術文献】
【特許文献】
【０００５】
【特許文献１】特開２００９−２０７２９９号公報
【発明の開示】
【発明が解決しようとする課題】
【０００６】
ワイヤハーネスの複数の枝線端末同士を抵抗溶接または超音波溶接して形成するスプライス部に、絶縁樹脂からなる保護用のキャップを被せていない状態では、外部導電材が接触すると短絡が生じる。
前記特許文献１では、プロテクタ内部に設けたスプライス収容部にスプライス部を挿入して収容するため、外部導電材が接触する恐れはなく、スプライス部に絶縁樹脂製のキャップを被せていない状態でスプライス収容部に挿入しても殆ど問題は生じない。
【０００７】
しかしながら、プロテクタ内に浸水が発生して、スプライス部に水がかかると腐食が生じる恐れがある。かつ、予期せざる不具合が発生して、外部導電材あるいはプロテクタ内部に挿通する電線の芯線が接触して短絡が発生する可能性を排除できない。よって、安全性の観点から、プロテクタ内に収容するスプライス部にも、絶縁樹脂製のキャップを被せることが好ましい。しかしながら、キャップを被せたスプライス部をプロテクタ内に位置決め保持できる構成とされると共に、防水性を高めたプロテクタは提供されていない。
【０００８】
本発明は前記問題に鑑みてなされたもので、プロテクタ内に収容するスプライス部に絶縁樹脂キャップを被せるとともに、該絶縁樹脂キャップを被せたスプライス部をプロテクタ内に簡単に位置決め収容すると共に防水性を高めたプロテクタを提供することを課題としている。  
【課題を解決するための手段】
【０００９】
前記課題を解決するため、本発明は、底壁の幅方向の両側から立設される側壁を有する樹脂製のプロテクタ本体と、該プロテクタ本体の上面開口を閉鎖する樹脂製の蓋とを備え、
前記プロテクタ本体の長さ方向の一部に、ワイヤハーネスの幹線路に隣接した幅方向に、絶縁樹脂製のキャップを被せたスプライス部が収容されるスプライス収容空間が、前記底壁から長さ方向に立設される仕切壁で仕切られて設けられ、
前記スプライス収容空間を挟む外側の前記側壁と内側の前記仕切壁に、前記キャップの上面に係止する係止爪が設けられていると共に、該係止爪と対向位置の前記底壁に型抜き穴からなる水抜き穴が設けられており、かつ、前記キャップの先端側に該キャップを上方傾斜させて当接するストッパー壁が前記底壁から立設されていることを特徴とするワイヤハーネス用のプロテクタを提供している。
【００１０】
前記プロテクタのスプライス収容空間の幅は前記キャップを被せたスプライス部の幅と同等され、前記ストッパー壁と長さ方向に対向する開口はワイヤハーネスの幹線から分岐するキャップ付きスプライス部の挿入口となり、スプライス収容空間に収容するキャップ付きスプライス部は、一方の側壁と仕切壁に挟まれると共にキャップ先端が前記ストッパー壁で停止されて位置決めされる。かつ、前記側壁と仕切壁の上端から突設する前記係止爪でキャップを係止することで、キャップ付きスプライス部はプロテクタ内の所定位置に確実に位置決め保持できる。よって、ワイヤハーネスを配索する車両走行時に大きな振動が発生しても、スプライス部はガタつきなく保持される。
【００１１】
前記スプライス収容空間を挟む一方の側壁の上端にスプライス収容空間側に向けて突出させた係止爪が設けられていると共に、他方の仕切壁に設ける前記係止爪は、上端よりの切り込みに挟まれた弾性係止片の上端にスプライス収容空間内に向けて突出させている。
【００１２】
このように、プロテクタ本体の側壁側には切り込みを入れずに係止爪を設けることにより、切り込みからの浸水発生を防止している。一方、他方のプロテクタ本体の内部に設ける仕切壁には切り込みをいれて弾性係止片を設け、その上端に係止爪を設けていることにより、該係止爪がスプライス部のキャップの上面に係止しやすくしている。
【００１３】
スプライス部に被せる絶縁樹脂製のキャップは先端に円筒部に連続して円錐状閉鎖部を備え、スプライス収容空間の先端側を囲む前記側壁は前記円錐状閉鎖部に沿った形状に傾斜させていると共に、前記ストッパー壁は該傾斜させた側壁の内面から略Ｌ字形状に突出し、キャップの先端に突設する一辺から傾斜側面に沿う他辺が連続する形状としている。該形状とすることにより、キャップをスプライス収容空間に内嵌して位置決め保持している。
【００１４】
前記プロテクタを浸水領域に設置する場合は、前記スプライス部に被せるキャップ内部に止水剤を充填して硬化させ、防水タイプとしている。なお、非浸水領域ではキャップ内部に止水剤を充填せずに簡易防水タイプとしている。
防水タイプおよび簡易防水タイプのいずれの場合も、絶縁樹脂製のキャップ自体は柔軟性を有するため、係止爪が押し込まれるように係止され、確実に位置決め保持される。
【発明の効果】
【００１５】
前記した本発明のプロテクタによれば、プロテクタ本体の内部に設けるスプライス収容空間を挟む側壁と仕切壁とに係止爪を設けているため、スプライス収容空間に収容するスプライス部のキャップに前記係止爪を係止することで、キャップを位置決めすると共に、強固に固定保持できる。このように、粘着テープ等の固定材を用いることなくプロテクタにスプライス部のキャップを固定でき、部品コスト低下および作業手数の削減を図ることができる。
かつ、スプライス収容空間の先端にストッパー壁を設けているため、キャップをストッパー壁に突き当てることで簡単に位置決めでき、かつ、ストッパー壁に突き当てた状態でキャップが開口側に向けて下方傾斜した姿勢になるため、キャップ内に浸水が発生しにくく、かつ、浸水が生じても自重落下で排水でき、スプライス部の防水機能を高めることができる。
【図面の簡単な説明】
【００１６】
【図１】本発明の実施形態のプロテクタを示す平面図である。
【図２】前記プロテクタの本体にキャップを被せたスプライス部をワイヤハーネスと共に収容した状態の平面図である。
【図３】（Ａ）（Ｂ）は前記プロテクタの本体の係止爪および水抜き穴を示す要部拡大斜視図である。
【図４】（Ａ）は前記プロテクタ本体のストッパー壁を示す要部拡大斜視図、（Ｂ）は（Ａ）の要部断面図である。
【図５】前記プロテクタ本体内でキャップを被せてスプライス部を位置決め保持している状態を示す斜視図である。
【図６】図５のＡ−Ａ線断面図である。
【図７】図５のＢ−Ｂ線断面図である。
【図８】（Ａ）は従来例を示す平面図、（Ｂ）（Ｃ）は問題点を示す概略説明図である。
【発明を実施するための形態】
【００１７】
以下、本発明の実施形態を図面を参照して詳述する。
図１乃至図７に示す実施形態のプロテクタ１は、自動車のエンジンルームに配索するワイヤハーネス３０に外装するものである。プロテクタ１は図１に示すようにプロテクタ本体２と、該プロテクタ本体２内にワイヤハーネス３０を挿通した後に、プロテクタ本体２に被せて上面開口を閉鎖してロック結合する蓋３とからなる。
【００１８】
プロテクタ１に通すワイヤハーネス３０は幹線３１から分岐する複数本の枝線３６の端末にスプライス部３２を備え、該スプライス部３２には絶縁樹脂からなるキャップ３３が被せられている。スプライス部３２は周知の形状で複数の枝線の端末で絶縁被覆を皮剥ぎして露出させた芯線同士を束ねて抵抗溶接しており、該スプライス部３２をキャップ３３内に挿入すると共に止水剤３４を充填して硬化している。キャップ３３は円筒部３３ａの先端側に円錐状閉鎖部３３ｂを連続して備えた形状である。本実施形態では、キャップ３３を被せたスプライス部３２の外径は幹線３１の外径と同等となっている。
【００１９】
図２に示すように、プロテクタ１のプロテクタ本体２内には、ワイヤハーネス３０のスプライス部３２と幹線３１ｂを幅方向に並べて配置するようにしている。プロテクタ本体２の長さ方向の一方側に屈曲路２ｂを設け、該屈曲路２ｂから曲がった位置に幹線路８とスプライス収容空間１０とを幅方向に分岐して設け、幹線路８はプロテクタ本体２の長さ方向の他方端まで延在する直線幹線路２ｄに連続させている。
【００２０】
プロテクタ本体２は底壁４と両側壁５、６とからなる断面コ字形状とし、両側壁５、６の外面にロック枠５ｒ、６ｒを備えている。蓋３はプロテクタ本体２の底壁４と同形状とし、幅方向の両側にロック枠５ｒ、６ｒに係止するロック爪３ｒを設けている。
【００２１】
プロテクタ本体２は、長さ方向の中央部分に幹線路８とスプライス収容空間１０とを幅方向に隣接して設け、底壁４の幅方向Ｙの略中央位置に長さ方向Ｘに延在する仕切壁１１を底壁４から突出させて立設している。また、側壁５、６の外面には車体固定用のブラケット９を突設している。
【００２２】
スプライス収容空間１０を挟む外側の側壁５と内側の仕切壁１１に、スプライス部３２に被せるキャップ３３の上面に幅方向両側より係止する係止爪１２と１３とを設けている。かつ、これら係止爪１２と１３を成形するために下方の底壁４に設けられる型抜き穴を水抜き穴１４、１５としている。前記プロテクタ本体２の外壁となる側壁５には、止水の観点から切り欠きを設けないため、図３（Ａ）（Ｂ）に示すように、側壁５の上端から係止爪１２をスプライス収容空間側に向けて突設している。一方、プロテクタ本体２の内部の仕切壁１１には、上端よりの一対の切り込み１１ａ、１１ｂを入れ、該切り込み１１ａと１１ｂに挟まれた弾性係止片１１ｃの上端にスプライス収容空間内に向けて突出させた前記係止爪１３を設けている。このように、弾性係止片１１ｃの上端に係止爪１３を設けていることにより、係止爪１３がスプライス部のキャップ３３の上面に係止しやすくしている。
【００２３】
スプライス収容空間１０に挿入するキャップ３３は円筒部３３ａに円錐状閉鎖部３３ｂが連続した形状であるため、スプライス収容空間１０の先端側を囲む側壁５は円錐状閉鎖部３３ｂに沿わせた傾斜部５ｋとし、該傾斜部５ｋの先端を前記直線幹線路２ｄを囲む側壁５ｉに連続させている。側壁５の傾斜部５ｋの内面および底壁４から略Ｌ字形状に突出したストッパー壁１６を設けている。該ストッパー壁１６はキャップ３３の先端に当接する一辺１６ａから円錐状閉鎖部３３ｂの他側の傾斜側面に沿う傾斜した他辺１６ｂが連続する形状としている。かつ、一辺１６ａは図４（Ａ）（Ｂ）に示すように、キャップ３３と接する面１６ｆは底壁４側から上方傾斜させた斜面１６ｓを設けている。該斜面１６ｓにキャップ３３を乗せることにより、キャップ３３の円筒部３３ａの先端開口を下向きとし、キャップ３３に浸水が生じても、水は自重落下して溶接部分に達しないようにしている。
【００２４】
スプライス収容空間１０は屈曲路２ｂ側はスプライス挿入用の開口となり、他端は前記ストッパー壁１６で閉鎖している。
プロテクタ本体２の前記屈曲路２ｂの先端にワイヤハーネスの挿通開口２ｃを設け、該挿通開口２ｃを囲む一方の側壁６にバンド通し枠６ｂを設けたバンド係止片６ａを挿通開口２ｃより突設している。該挿通開口２ｃに通すワイヤハーネスの幹線３１に巻き付けた締結バンド４０をバンド通し枠６ｂに通して、幹線３１をプロテクタ本体２に固定している。一方、他方の直線幹線路２ｄの先端にワイヤハーネスの挿通開口２ｅを設け、該挿通開口２ｅを囲む側壁５にテープ巻き片５ｈを突設し、挿通開口２ｅを通る幹線３１ｂとテープ巻き片５ｈとに粘着テープ４２を巻き付けて固着している。
【００２５】
前記構成としたプロテクタ１のプロテクタ本体２に、キャップ３３を被せたスプライス部３２を備えたワイヤハーネス３０を通している。
具体的には、ワイヤハーネス３０はプロテクタ本体２の屈曲路２ｂに通す部分の幹線３１から、スプライス部３２を設ける枝線３６と残りの幹線３１ｂとが分岐し、キャップ３３を被せたスプライス部３２をスプライス収容空間１０に挿入し、幹線３１ｂを幹線路８に通した後に、直線幹線路２ｄに通している。
【００２６】
スプライス収容空間１０と幹線路８との間には仕切壁１１があるため、幹線路８に幹線３１ｂを、キャップ付きスプライス部３２をスプライス収容空間１０に区分けして簡単に挿通できる。スプライス収容空間１０では、キャップ３３の先端の円錐状閉鎖部３３ｂを側壁５の傾斜部５ｋとストッパー壁１６の傾斜した他辺１６ｂとの間に挿入し、先端をストッパー壁１６の一辺１６ａに突き当てることにより、簡単に所定位置に収容できる。
【００２７】
かつ、キャップ３３の先端がストッパー壁１６の一辺１６ａに突き当たった状態で、キャップ３３の下面はストッパー壁１６の斜面１６ｓに乗り上げ、図７に示すように、円筒部３３ａが挿入口側に向けて下方傾斜した状態となる。
【００２８】
さらに、図６に示すように、キャップ３３の円筒部３３ａの上面には幅方向の両側から係止爪１２と１３が係止し、比較的柔軟なキャップ３３に係止爪１２、１３が押し付けられる。これにより、キャップ３３は強固にプロテクタ本体２の所定位置に保持され、車両走行時に振動が負荷されてもガタ付きが発生しない。
【００２９】
前記のように、プロテクタ本体２内にワイヤハーネス３０を挿通させた後に、長さ方向の一端の締結バンド４０で固定すると共に、他端を粘着テープ４２を巻き付けてワイヤハーネス３０をプロテクタ本体２に固定する。その後、蓋３をプロテクタ本体２に被せてロック固定する。蓋３を取り付ける際、キャップ付きスプライス部は係止爪１２と１３で底壁４側に向けて押圧されているため、上端開口からキャップ付きスプライス部が飛び出すことはない。よって、蓋３の取り付けがスムーズに行える。
【００３０】
プロテクタ１内には浸水が発生しにくいが、予期せざる事情で浸水が生じた場合、スプライス収容空間１０の底壁４には水抜き穴１４、１５があるため、これら水抜き穴１４、１５から排水できる。さらに、キャップ３３内に浸水が生じても、硬化させた止水剤３４内にスプライス部３２を埋設しているため、スプライス部３２に水がかかって腐食するのを防止できる。特に、図７に示すように、ストッパー壁１６により、キャップ３３を開口側に向けて下方傾斜させているため、キャップ３３に浸水が生じても、水は自重落下して水抜き穴１４、１５から排水される。このように、スプライス部３２に水がかかって腐食が発生するのを確実に防止できる。
【００３１】
前記のように、本発明のプロテクタ１によれば、キャップ３３を被せたスプライス部３２を、粘着テープ等の固定材を用いることなく、プロテクタの所定位置に簡単に位置決めでき、コスト低下および作業手数を削減できる。さらに、プロテクタの所定位置にプロテクタに設けた係止爪により位置ずれやガタつきを発生させない状態で確実に保持でき、異音発生を防止できる。かつ、防水機能を高めているため、スプライス部に水がかかって腐食が発生することを確実に防止できる。
【００３２】
前記実施形態では、キャップ３３にスプライス部３２を挿入すると共に、止水剤３４を充填硬化させた防水タイプとしているが、該防水タイプに限定されない。キャップ３３内にスプライス部３２を挿入するだけで、止水剤を充填しない簡易防水タイプとした場合においても、前記プロテクタ内に収容して位置決め保持できることは言うまでもない。
【符号の説明】
【００３３】
１  プロテクタ
２  プロテクタ本体
３  蓋
４  底壁
５、６  側壁
８  幹線路
１０  スプライス収容空間
１１  仕切壁
１２、１３  係止爪
１４、１５  水抜き穴
１６  ストッパー壁
３０  ワイヤハーネス
３１、３１ｂ  幹線
３２  スプライス部
３３  キャップ
３４  止水剤
【図１】
2017169300.tif 000003
【図２】
2017169300.tif 000004
【図３】
2017169300.tif 000005
【図４】
2017169300.tif 000006
【図５】
2017169300.tif 000007
【図６】
2017169300.tif 000008
【図７】
2017169300.tif 000009
【図８】
2017169300.tif 000010